(57)【要約】【課題】  地紋プリントにおいて原本保証を高めることを目的とする。【解決手段】  地紋パターン付加機能を有するプリンタドライバであって、以下の構成からなる。  ＭＡＣアドレス、ＣＰＵ−ＩＤを取得する手段、  ジョブＩＤから固有ＩＤを生成する手段、  前記ＩＤを地紋パターンとして使用する手段、  前記地紋パターンを出力する手段。【選択図】  図１
2005107777.tif 000002
【特許請求の範囲】
【請求項１】
プリンタと接続されたパーソナルコンピュータ等の情報処理装置からなるシステムあって、更に、前記情報処理装置上で、前記プリンタに送信される印刷データを生成する前に、一旦、最終的に前記プリンタに送付する印刷データとは異なる形式のデータ形式（いわゆる中間コード）での一時保存を行うスプール手段を備え、この中間コード形式で一時保存されたデータから改めて最終的に前記プリンタに送付する印刷データを生成するデスプール手段とプリンタ制御コマンドを生成する手段を備えるシステムにおいて、
原本の特定を容易にする特殊文字列を生成する手段と、
前記生成特殊文字列を地紋パターンとして使用する手段と、
前記地紋パターンを出力する手段を備え、
地紋パターン付加印刷時に、表示手段が、中間コードの描画と伴に、地紋の潜像部の元となった潜像背景領域指定画像を描画することを特徴とする印刷制御装置、方法および媒体。
【発明の詳細な説明】
【技術分野】
【０００１】
本発明は、印刷方法および装置に関するもので、特にパーソナルコンピュータ等の情報処理とプリンタからなるシステムにおける、プリンタまたはプリンタドライバにおけるコピー牽制地紋プリント方法および装置に関するものである。
【背景技術】
【０００２】
従来、帳票や住民票などの複写を禁止、或いは抑止する目的で、これらのコンテンツは偽造防止用紙と呼ばれる特殊な印刷を施した用紙に印刷されていた。偽造防止用紙とは、原本においては人間にとって見えにくいが、複写機などを用いて複写した場合には「禁複写」などの所定の文字が浮び上がるような用紙である。偽造防止用紙は、通常の用紙と比較してコストが大きいことや、印刷時（偽造防止用紙の製作時）に設定された文字しか浮び上がらせることができないことが問題となっていた。
【０００３】
一方、様々なコンテンツのデジタル化が進む中、これら帳票や住民票などのコンテンツも同様にデジタル化されている。しかしながら、これら帳票や住民票などのコンテンツに関してのデジタル化は、まだ過渡状態であり、コンピュータを用いて作成したコンテンツをプリンタなどを用いて紙に出力して利用することが一般的である。
【０００４】
こうした状況に加えて、近年のプリンタの性能の飛躍的な向上も起因して、従来の偽造防止用紙と同様の効果をコンピュータとプリンタを用いて行う技術が注目されている。これは、コンピュータを用いて作られたコンテンツをプリンタを用いて出力する際に、コンテンツの背景に地紋と呼ばれる模様を重ねて出力するような技術である（特許文献１参照）。地紋は原本（プリンタで出力した直後のコンテンツ）においては単なる模様に見えるが、複写すると所定の文字が浮び上がるようなものであり、偽造防止用紙と同様の効果がある。
【０００５】
コンピュータを用いて地紋を重ねて出力する場合、当然のことながら通常の普通紙を用いて出力できるため、偽造防止用紙に比べてコストの面で利点がある。更に、コンテンツを出力する際に地紋を生成するようにすることによって、「禁複写」などの静的な文字列に加えて、ユーザ名や出力日時などの動的な文字列を浮び上がらせられるという利点もある。
【０００６】
ここで偽造抑止地紋の画像の説明をおこなう。
【０００７】
偽造牽制地紋は、前述のとおり複写によって原本が容易に複製できないような仕掛けを施し、心理的にではあるが原本の複写を抑止する効果を実現している。この効果をえるため偽造牽制地紋は、複写後にドットが残る領域と複写後にドットが消える領域の同じ濃度を持つ２つの領域から基本的に構成される。この２つの領域はほぼ同じ濃度であり、マクロ的には、一見すると「禁複写」などの文字や画像が隠れていることが分からないが、ミクロ的にはそれぞれ異なる特性を持っている。この隠された文字や画像を潜像と呼ぶこととする。なお、潜像をユーザむけに前景と呼ぶ部分があるが同義である。
【０００８】
複写後にドットが残る領域（潜像部と呼ぶ）は各々のドットが集中した固まりのドットで構成し、複写後にドットが消える領域（背景部と呼ぶ）は各々のドットが分散したドットで構成することで、濃度がほぼ同じでそれぞれ特性が異なるふたつの領域を作り出すことが出来る。<偽造牽制地紋の画像のふたつの領域>は図４０に示した。このふたつの領域は、異なる網点処理や異なるディザ処理により生成できる。網点処理を用いて地紋画像を生成する場合、潜像部は低い線数の網点処理、背景部は高い線数の網点処理が適している。ディザ処理を用いて地紋画像を生成する場合、潜像部はドット集中型ディザマトリクスを用いたディザ処理、背景部はドット分散型ディザマトリクスを用いたディザ処理が適している。
【０００９】
一般に複写機には、原稿の微小なドットを読み取る入力解像度や微小なドットを再現する出力解像度に依存した再現能力の限界が存在する。偽造抑止地紋の背景部が複写機で再現できるドットの限界を超えるように作成されている場合、複写により偽造抑止地紋の大きなドット（集中したドット）は再現され、小さなドット（分散したドット）は再現されず、隠されていた画像（潜像）が浮かび上がる現象がおこる。また、複写により分散したドットは完全に消えなくとも、集中したドットと比較して明らかに複写後の濃度さが違う場合でも、隠された画像（潜像）は浮かび上がる。この画像が浮かび上がる現象は顕像と呼ばれる。<偽造牽制地紋の顕像>を図４１に示す。
【００１０】
また、偽造抑止地紋では、隠されている文字や画像（潜像）をより判別しにくくする「カモフラージュ」という技術も良く知られている。カモフラージュは、潜像部や背景部とは濃度を異ならせた模様を偽造抑止地紋画像全体に配置する方法であり、一見、潜像部や背景部とは異なる濃度のカモフラージュ模様が目立ち、潜像が更に目立たなくなる効果がある。<偽造牽制地紋におけるカモフラージュ>は図４２で示す。また、カモフラージュ模様が存在する偽造抑止地紋は、印刷物に装飾的な印象を与える効果もある。複写後の潜像の判別が容易となる為に、カモフラージュ模様はその内部のドットができるだけ複写後に消失することが望ましい。これはカモフラージュ模様に相当する箇所でドットを打たないことで実現できる。
【００１１】
地紋プリントにおいては、印刷時に印刷原稿に対して地紋パターン付加することで印刷データの原本保証を実現するものであるが、複数部数の原本を作成する際にも同じ地紋が付加されるので、各々原本の区別が出来ない。原本を区別するためには、オリジナルの文書を一部毎に変更を加えて印刷し原本を作成するしかなく大変面倒な作業が必要になる。
【特許文献１】特開２００１−１９７２９７号
【発明の開示】
【発明が解決しようとする課題】
【００１２】
地紋プリントにおいては、原本の特定が重要な機能である。しかしながら、従来の技術では、複数原本を作成する地紋プリントにおいて、印刷時に印刷原稿に対して同じ地紋パターン付加することで印刷データの原本保証を実現するため、各々原本の区別が困難であった。つまり、一部の原本が複写により偽造されたときに、どの原本が複写されたのか突き止めることが不可能になるという欠点があった。
【００１３】
本発明はこのような問題に鑑みてなされたものであり、地紋プリントの原本保証を高めることを目的とする。
【課題を解決するための手段】
【００１４】
本発明の印刷制御装置および方法によれば、プリンタと接続されたパーソナルコンピュータ等の情報処理装置からなるシステムあって、更に、前記情報処理装置上で、前記プリンタに送信される印刷データを生成する前に、一旦、最終的に前記プリンタに送付する印刷データとは異なる形式のデータ形式（いわゆる中間コード）での一時保存を行うスプール手段を備え、この中間コード形式で一時保存されたデータから改めて最終的に前記プリンタに送付する印刷データを生成するデスプール手段とプリンタ制御コマンドを生成する手段を備えるシステムにおいて、原本の特定を容易にする特殊文字列を生成する手段と、前記生成特殊文字列を地紋パターンとして使用する手段と、前記地紋パターンを出力する手段を備え、地紋パターン付加印刷時に、表示手段が、中間コードの描画と伴に、地紋の潜像部の元となった潜像背景領域指定画像を付加描画することを特徴とする。
【発明の効果】
【００１５】
以上説明したように、本発明によれば、例えば地紋印刷処理した機器を特定するような情報を潜像画像として背景に埋め込むことにより、原本保証と偽造の追跡処理を実現できる。
【発明を実施するための最良の形態】
【００１６】
（実施例１）
以下、本発明を適用するのに好適である実施例について説明を行う。
【００１７】
＜プリンタ制御システムの構成＞
図１は本発明の実施例を示すプリンタ制御システムの構成を説明するブロック図である。なお、本発明の機能が実行されるのであれば、単体の機器であっても、複数の機器からなるシステムであっても、ＬＡＮ,ＷＡＮ等のネットワークを介して接続がなされ処理が行われるシステムであっても本発明を適用できる。
【００１８】
同図において、ホストコンピュータ３０００は、ＲＯＭ３のプログラム用ＲＯＭあるいは外部メモリ１１に記憶された文書処理プログラム等に基づいて図形、イメージ、文字、表（表計算等を含む）等が混在した文書処理を実行するＣＰＵ１を備え、システムバス４に接続される各デバイスをＣＰＵ１が総括的に制御する。また、このＲＯＭ３のプログラム用ＲＯＭあるいは外部メモリ１１には、ＣＰＵ１の制御プログラムであるオペレーティングシステムプログラム（以下ＯＳ）等を記憶し、ＲＯＭ３のフォント用ＲＯＭあるいは外部メモリ１１には上記文書処理の際に使用するフォントデータ等を記憶し、ＲＯＭ３のデータ用ＲＯＭあるいは外部メモリ１１には上記文書処理等を行う際に使用する各種データを記憶する。ＲＡＭ２は、ＣＰＵ１の主メモリ、ワークエリア等として機能する。
【００１９】
キーボードコントローラ（ＫＢＣ）５は、キーボード９や不図示のポインティングデバイスからのキー入力を制御する。ＣＲＴコントローラ（ＣＲＴＣ）６は、ＣＲＴディスプレイ（ＣＲＴ）１０の表示を制御する。７はディスクコントローラ（ＤＫＣ）で、ブートプログラム、各種のアプリケーション、フォントデータ、ユーザファイル、編集ファイル、プリンタ制御コマンド生成プログラム（以下プリンタドライバ）等を記憶するハードディスク（ＨＤ）、フロッピーディスク（ＦＤ）等の外部メモリ１１とのアクセスを制御する。プリンタコントローラ（ＰＲＴＣ）８は、双方向性インタフェイス（インタフェイス）２１を介してプリンタ１５００に接続されて、プリンタ１５００との通信制御処理を実行する。
【００２０】
なお、ＣＰＵ１は、例えばＲＡＭ２上に設定された表示情報ＲＡＭへのアウトラインフォントの展開（ラスタライズ）処理を実行し、ＣＲＴ１０上でのＷＹＳＩＷＹＧを可能としている。また、ＣＰＵ１は、ＣＲＴ１０上の不図示のマウスカーソル等で指示されたコマンドに基づいて登録された種々のウインドウを開き、種々のデータ処理を実行する。ユーザは印刷を実行する際、印刷の設定に関するウインドウを開き、プリンタの設定や、印刷モードの選択を含むプリンタドライバに対する印刷処理方法の設定を行える。
【００２１】
プリンタ１５００は、ＣＰＵ１２により制御される。プリンタＣＰＵ１２は、ＲＯＭ１３のプログラム用ＲＯＭに記憶された制御プログラム等あるいは外部メモリ１４に記憶された制御プログラム等に基づいてシステムバス１５に接続される印刷部（プリンタエンジン）１７に出力情報としての画像信号を出力する。また、このＲＯＭ１３のプログラムＲＯＭには、ＣＰＵ１２の制御プログラム等を記憶する。ＲＯＭ１３のフォント用ＲＯＭには上記出力情報を生成する際に使用するフォントデータ等が記憶され、ＲＯＭ１３のデータ用ＲＯＭには、ハードディスク等の外部メモリ１４がないプリンタの場合には、ホストコンピュータ上で利用される情報等が記憶されている。
【００２２】
ＣＰＵ１２は入力部１８を介してホストコンピュータとの通信処理が可能となっており、プリンタ内の情報等をホストコンピュータ３０００に通知できる。ＲＡＭ１９は、ＣＰＵ１２の主メモリや、ワークエリア等として機能するＲＡＭで、図示しない増設ポートに接続されるオプションＲＡＭによりメモリ容量を拡張することができるように構成されている。なお、ＲＡＭ１９は、出力情報展開領域、環境データ格納領域、ＮＶＲＡＭ等に用いられる。前述したハードディスク（ＨＤ）、ＩＣカード等の外部メモリ１４は、メモリコントローラ（ＭＣ）２０によりアクセスを制御される。外部メモリ１４は、オプションとして接続され、フォントデータ、エミュレーションプログラム、フォームデータ等を記憶する。また、１８は前述した操作パネルで操作のためのスイッチおよびＬＥＤ表示器等が配されている。
【００２３】
また、前述した外部メモリ１４は１個に限らず、複数個備えられ、内蔵フォントに加えてオプションカード、言語系の異なるプリンタ制御言語を解釈するプログラムを格納した外部メモリを複数接続できるように構成されていてもよい。更に、図示しないＮＶＲＡＭを有し、操作パネル１５０１からのプリンタモード設定情報を記憶するようにしてもよい。
【００２４】
図２は、プリンタ等の印刷装置が直接接続されているか、あるいはネットワーク経由で接続されているホストコンピュータにおける典型的な印刷処理の構成図である。アプリケーション２０１、グラフィックエンジン２０２、プリンタドライバ２０３、およびシステムスプーラ２０４は、外部メモリ１１に保存されたファイルとして存在し、実行される場合にＯＳやそのモジュールを利用するモジュールによってＲＡＭ２にロードされ実行されるプログラムモジュールである。また、アプリケーション２０１およびプリンタドライバ２０３は、外部メモリ１１のＦＤや不図示のＣＤ−ＲＯＭ、あるいは不図示のネットワークを経由して外部ディスク１１のＨＤに追加することが可能となっている。外部メモリ１１に保存されているアプリケーション２０１はＲＡＭ２にロードされて実行されるが、このアプリケーション２０１からプリンタ１５００に対して印刷を行う際には、同様にＲＡＭ２にロードされ実行可能となっているグラフィックエンジン２０２を利用して出力（描画）を行う。
【００２５】
グラフィックエンジン２０２は、印刷装置ごとに用意されたプリンタドライバ２０３を同様に外部メモリ１１からＲＡＭ２にロードし、アプリケーション２０１の出力をプリンタドライバ２０３に設定する。そして、アプリケーション２０１から受け取るＧＤＩ（Graphic Device Interface）関数からＤＤＩ（Device Driver Interface）関数に変換して、プリンタドライバ２０３へＤＤＩ関数を出力する。プリンタドライバ２０３は、グラフィックエンジン２０２から受け取ったＤＤＩ関数に基づいて、プリンタが認識可能な制御コマンド、例えばＰＤＬ（Page Description Language）に変換する。変換されたプリンタ制御コマンドは、ＯＳによってＲＡＭ２にロードされたシステムスプーラ２０４を経てインタフェイス２１経由でプリンタ１５００へ印刷データとして出力される仕組みとなっている。
【００２６】
本実施形態の印刷システムは、プリンタドライバ２０３内に地紋処理部２０５を有する。地紋処理部２０５はプリンタドライバ２０３のビルドインモジュールであってもよいし、個別のインストーレーションによって追加されるライブラリモジュールの形式であっても構わない。
【００２７】
図２で示すプリンタとホストコンピュータからなる印刷システムに加えて、更に第３図に示すように、アプリケーションからの印刷データを一旦中間コードデータでスプールする構成を有する。
【００２８】
＜本実施形態における印刷関連のソフトウエアモジュール＞
図３は、図２のシステムを拡張したもので、グラフィックエンジン２０２からプリンタドライバ２０３へ印刷命令を送る際に、一旦中間コードからなるスプールファイル３０３を生成する構成をとる。図２のシステムでは、アプリケーション２０１が印刷処理から開放されるのはプリンタドライバ２０３がグラフィックエンジン２０２からのすべての印刷命令をプリンタの制御コマンドへ変換し終った時点である。これに対して、図３のシステムでは、スプーラ３０２がすべての印刷命令を中間コードデータに変換し、スプールファイル３０３に出力した時点である。通常、後者の方が短時間で済む。また、図３で示すシステムにおいては、スプールファイル３０３の内容に対して加工することができる。これによりアプリケーションからの印刷データに対して、拡大縮小や、複数ページを１ページに縮小して印刷する等、アプリケーションの持たない機能を実現することができる。
【００２９】
これらの目的のために、図２のシステムに対し、図３の様に中間コードデータでスプールする様、システムの拡張がなされてきている。なお、印刷データの加工を行うためには、通常プリンタドライバ２０３が提供するウィンドウから設定を行い、プリンタドライバ２０３がその設定内容をＲＡＭ２上あるいは外部メモリ１１上に保管する。
【００３０】
以下、図３の詳細を説明する。図に示す通り、この拡張された処理方式では、グラフィックエンジン２０２からの印刷命令であるＤＤＩ関数をディスパッチャ３０１が受け取る。ディスパッチャ３０１がグラフィックエンジン２０２から受け取った印刷命令（ＤＤＩ関数）が、アプリケーション２０１からグラフィックエンジン２０２へ発行された印刷命令（ＧＤＩ関数）に基づくものである場合には、ディスパッチャ３０１は外部メモリ１１に格納されているスプーラ３０２をＲＡＭ２にロードし、プリンタドライバ２０３ではなくスプーラ３０２へ印刷命令（ＤＤＩ関数）を送付する。
【００３１】
スプーラ３０２は受け取った印刷命令を解析し、ページ単位に中間コードに変換してスプールファイル３０３に出力する。このページ単位に格納されている中間コードのスプールファイルをページ描画ファイル（ＰＤＦ：Page Description File）と呼ぶ。また、スプーラ３０２は、プリンタドライバ２０３に対して設定されている印刷データに関する加工設定（Ｎｕｐ、両面、ステープル、カラー／モノクロ指定等）をプリンタドライバ２０３から取得してジョブ単位のファイルとしてスプールファイル３０３に保存する。このジョブ単位に格納されている設定ファイルをジョブ設定ファイル（簡略してＳＤＦ：Spool Description Fileと呼ぶこともある）と呼ぶ。このジョブ設定ファイルについては後述する。なお、スプールファイル３０３は外部メモリ１１上にファイルとして生成するが、ＲＡＭ２上に生成されても構わない。更にスプーラ３０２は、外部メモリ１１に格納されているスプールファイルマネージャ３０４をＲＡＭ２にロードし、スプールファイルマネージャ３０４に対してスプールファイル３０３の生成状況を通知する。その後、スプールファイルマネージャ３０４は、スプールファイル３０３に保存された印刷データに関する加工設定の内容に従って印刷を行えるか判断する。
【００３２】
スプールファイルマネージャ３０４がグラフィックエンジン２０２を利用して印刷を行えると判断した際には、外部メモリ１１に格納されているデスプーラ３０５をＲＡＭ２にロードし、デスプーラ３０５に対して、スプールファイル３０３に記述された中間コードのページ描画ファイルの印刷処理を行うように指示する。
【００３３】
デスプーラ３０５はスプールファイル３０３に含まれる中間コードのページ描画ファイルをスプールファイル３０３に含まれる加工設定情報を含むジョブ設定ファイルに従って加工し、ＧＤＩ関数を再生成し、もう一度グラフィックエンジン２０２経由でＧＤＩ関数を出力する。
【００３４】
その際、地紋プリントに関する描画については、地紋処理部２０５をロードし、描画処理を行う。
【００３５】
ディスパッチャ３０１がグラフィックエンジン２０２から受け取った印刷命令（ＤＤＩ関数）がデスプーラ３０５からグラフィックエンジン２０２へ発行された印刷命令（ＧＤＩ関数）に基づいたものである場合には、ディスパッチャ３０１はスプーラ３０２ではなく、プリンタドライバ２０３に印刷命令を送る。
【００３６】
プリンタドライバ２０３はグラフィックエンジン２０２から取得したＤＤＩ関数に基づいてページ記述言語等からなるプリンタ制御コマンドを生成し、システムスプーラ２０４経由でプリンタ１５００に出力する。
【００３７】
更に、図３では、これまで説明した拡張システムに加えて、プレビューア３０６、設定変更エディタ３０７を配し、プレビュー、印刷設定変更、複数ジョブの結合を可能にした例を示している。
【００３８】
印刷プレビュー、印刷設定変更、複数ジョブの結合を行うためには、まずユーザが図９に示すプリンタドライバのプロパティにおいて、「出力先の指定」を行う手段であるプルダウンメニュー９０１において「ストア」を指定する必要がある。なお、プレビューだけをみたい場合は、出力先の指定として「プレビュー」を選択することによっても可能である。
【００３９】
このようにプリンタドライバのプロパティで設定されている内容は設定ファイルとしてＯＳが提供する構造体（WindowsＯＳでは、DEVMODEと呼ばれる）に格納される。その構造体には、例えばスプールファイル３０３に含まれる加工設定中にスプールファイルマネージャ３０４にストアを行うかどうかの設定が含まれており、スプールファイルマネージャ３０４がプリンタドライバを介して加工設定を読み込み、ストア指定がなされていた場合、前述したようにスプールファイル３０３にページ描画ファイルとジョブ設定ファイルとが生成・格納され、スプールファイルマネージャのウィンドウ画面がポップアップされ、スプールファイル３０３にスプールされたジョブがリスト表示される。
【００４０】
スプールファイルマネージャのウィンドウ画面上で、ある単体ジョブもしくは結合ジョブのプレビュー指定がされた場合、外部メモリ１１に格納されているプレビューア３０６をＲＡＭ２にロードし、プレビューア３０６に対して、スプールファイル３０３に記述された中間コードのジョブのプレビュー処理を行うように指示する。
【００４１】
（プレビューア）プレビューア３０６はスプールファイル３０３に含まれる中間コードのページ描画ファイル（ＰＤＦ）を順次読み出し、スプールファイル３０３に格納されているジョブ設定ファイル（ＳＤＦ）に含まれる加工設定情報の内容に従って加工し、グラフィックエンジン２０２に対してＧＤＩ関数を出力し、グラフィックエンジン２０２が自身のクライアント領域に描画データを出力することによって、画面上の出力が可能となる。
【００４２】
グラフィックエンジン２０２は、指定された出力先に応じて適切なレンダリングを行うことが可能である。このことから、プレビューア３０６は、デスプーラ３０５同様に、スプールファイル３０３に含まれる中間コードをスプールファイル３０３に含まれる加工設定の内容に従って加工し、グラフィックエンジン２０２を利用して出力する方法で実現可能となる。このようにプリンタドライバで設定されている加工設定をジョブ設定ファイルとしてスプールファイル３０３に格納し、このジョブ設定ファイルに基づいてページ描画ファイルのデータを加工して出力することにより、実際の描画データがどのように印刷されるか、更には、Ｎｕｐ（Ｎページの論理ページを１ページの物理ページに縮小配置して印刷する処理）指定されている場合、両面印刷されている場合、製本印刷指定されている場合、スタンプが指定されている場合、それぞれに応じて、プリンタで出力されるものに近い印刷プレビューをユーザに提供することができる。なお、通常の文書作成等のアプリケーションソフトウェアが有しているプレビュー機能は、あくまでそのアプリケーションにおけるページ設定に基づいて描画しているため、プリンタドライバでの印刷設定が反映されず、実際に印刷出力されるプレビューをユーザに認識させることはできなかった。
【００４３】
上記のようにプレビュー処理を行うことにより、スプールファイル３０３に含まれる印刷の加工設定の大プレビューがプレビューア３０６によって画面上に表示される。図１８はプレビューア３０６が表示するプレビュー画面の一例である。その後、ユーザの非表示指示によって、プレビューア３０６がクローズされ、制御が図１６に示すようなスプールファイルマネージャのウィンドウ画面に移行する。
【００４４】
そして、ユーザがプレビューア３０６によって表示された内容に従って、印刷を行うならば、スプールファイルマネージャ３０４上で、「印刷」もしくは「セーブして印刷」を指示することにより印刷要求を発行する。印刷要求は前述したように、デスプーラ３０５によりジョブ設定ファイルに基づいてページ描画ファイルを加工してＧＤＩ関数を生成し、グラフィックエンジン２０２に伝えられ、ディスパッチャ３０１経由で、プリンタドライバ２０３に印刷命令が送られ、印刷が実行される。
【００４５】
本発明の地紋プリントについてのプレビューについては、図３１以降にて後述する。
【００４６】
（設定変更エディタ）
次に、設定変更エディタ３０７を用いた設定変更について説明する。
【００４７】
その実現方法としては、プレビュー同様、図９において「ストア」指定されたジョブに関して設定可能である。同様のフローによりスプールファイルマネージャ３０４がポップアップされ、スプールされたジョブがリスト表示される。スプールファイルマネージャのウィンドウ画面上で、「ジョブ編集」が指定され、設定変更指示がされた場合、外部メモリ１１に格納されている設定変更エディタ３０７をＲＡＭ２にロードし、設定変更エディタ３０７に対して、現在またはデフォルトの加工設定の表示を行うように指示する。そしてジョブ設定画面が表示される。
【００４８】
設定変更エディタ３０７は、「ジョブ編集」が指定されたジョブのジョブ設定ファイルをスプールファイル３０３から取得し、そのジョブ設定ファイルに指定されている設定項目に基づいてジョブ設定画面のデフォルト値を変更する。
【００４９】
この設定変更エディタ３０７でもスプールファイル３０３に含まれる中間コードのページ描画ファイルをスプールファイル３０３に格納されているジョブ設定ファイルに含まれる加工設定の内容に従って加工し、グラフィックエンジン２０２を用いて自身のクライアント領域に出力することによって、画面上の小プレビュー出力が可能となる。
【００５０】
またここで、スプールファイル３０３に格納されているジョブ設定ファイルに含まれる加工設定の内容を変更、修正することが可能である。その際、プリンタドライバ２０３の設定可能な項目を設定変更エディタ３０７上のユーザインターフェイスに持っていても、プリンタドライバ２０３自身のユーザインターフェイスを呼び出しても構わない。ここでは、部数、印刷方法（片面、両目、製本印刷）、ステープル（サドルフィニッシャー等）、ページレイアウト、配置順等の指定ができ、また「詳細設定」を押下することにより、プリンタドライバで指定できる項目の大半を設定しなおすことが可能となる。ただし、解像度、グラフィックモード等の印刷品位に関する設定の変更は許可しないものとする。
【００５１】
ここで変更された変更項目は設定変更エディタ３０７上の認証要求に従い、変更が認証され、制御がスプールファイルマネージャ３０４に移行する。変更が認証されたものは、印刷設定の変更を保存することになるが、オリジナルのジョブ設定ファイルには保存せずに、ジョブ編集等で用いられるジョブ出力用設定ファイルを新たに生成して保存することになる。ジョブ出力用設定ファイルについての詳細は、図１０以降で後述する。
【００５２】
そして、ユーザがプレビューア３０６での確認同様、設定変更内容に従って、印刷を行うならば、スプールファイルマネージャ３０４上で、印刷要求を発行する。印刷要求はグラフィックエンジン２０２に伝えられ、ディスパッチャ３０１経由で、プリンタドライバ２０３に印刷命令が送られ、印刷が実行される。
【００５３】
また、スプールファイルマネージャのウィンドウ画面では、複数の印刷ジョブを結合し、一つの印刷ジョブとして印刷するように指定することが可能である。これも、プレビュー、設定変更同様、図９のプリンタドライバのプロパティにおいて出力先を「ストア」指定されたジョブが前提となる。また、メールボックスやセキュアプリントなどの機能も９０１より選択可能である。
【００５４】
ユーザが印刷ジョブの結合を行う場合、まず、アプリケーション２０１からプリンタドライバ２０３を呼び出し、図９に示すようなユーザインターフェイス上からストアを選択する。前記同様、この選択により、スプールファイル３０３にストアされ、スプールファイルマネージャのウィンドウ画面がポップアップされる。スプールされたジョブはスプールファイルマネージャのウィンドウ上にリスト表示される。アプリケーション２０１から同様の操作をすることにより、スプールファイルマネージャ３０４上に複数ジョブのリスト表示がされることになる。
【００５５】
ここで、複数ジョブを選択し、「結合」が指定された場合、外部メモリ１１に格納されている設定変更エディタ３０７をＲＡＭ２にロードし、設定変更エディタ３０７に対して、リスト上の先頭ジョブまたはデフォルトの加工設定の表示を行うように指示する。そして結合設定画面が表示される。ここでは、設定変更エディタ３０７を結合設定画面として用いているが、別モジュールのものを用いても構わない。
【００５６】
この設定変更エディタ３０７は、スプールファイル３０３に含まれる中間コードのページ描画ファイルをスプールファイル３０３に格納されているジョブ設定情報に含まれる加工設定の内容に従って加工し、結合ジョブとして指定されたすべてのジョブに対して、グラフィックエンジン２０２を用いて自身のクライアント領域に出力することによって、画面上の出力を行う。その際、プレビュー領域に選択された全てのジョブの小プレビューが可能となる。また、結合ジョブを生成する際に、それぞれの単体ジョブのジョブ設定ファイルを拡張したジョブ出力用設定ファイルを生成する。このジョブ出力用設定ファイルは、ジョブ編集を行う際にも生成されるものであり、１つのジョブに対して１つできるものであり、結合ジョブの場合もまた１つ生成される。
【００５７】
ここではそれぞれのジョブに対して、結合する前の加工設定で表示することも、結合ジョブとして統一の加工設定に変更、修正して表示することも可能である。その際、プリンタドライバ２０３の設定可能な項目を設定変更エディタ３０７上のユーザインターフェイスに持っていても、プリンタドライバ２０３自身のユーザインターフェイスを呼び出しても構わない。
【００５８】
ここで結合されたジョブ及び変更された変更項目は、前述したように、設定変更エディタ３０７上の認証要求に従い、変更が認証され、制御がスプールファイルマネージャ３０４に移行する。これらの操作により、先に選択された複数ジョブは、スプールファイルマネージャのウィンドウ上で一つの結合ジョブとして表示される。
【００５９】
そして、ユーザがプレビューア３０６での確認同様、設定変更内容に従って、印刷を行うならば、スプールファイルマネージャ３０４上で、印刷要求を発行する。印刷要求はグラフィックエンジン２０２に伝えられ、ディスパッチャ３０１経由で、プリンタドライバ２０３に印刷命令が送られ、印刷が実行される。
【００６０】
＜レーザビームプリンタの構成＞
図４は、プリンタ１５００の一例である両面印刷機能を有するカラーレーザプリンタの断面図である。
【００６１】
このプリンタはホストコンピュータ３０００より入力した印刷データに基づいて得られる各色毎の画像データで変調されたレーザ光をポリゴンミラー３１により感光ドラム１５を走査して静電潜像を形成する。そして、この静電潜像をトナー現像して可視画像を得、これを中間転写体９へ全色について多重転写してカラー可視画像を形成する。そして更に、このカラー可視画像を転写材２へ転写し、転写材２上にカラー可視画像を定着させる。以上の制御を行う画像形成部は、感光ドラム１５を有するドラムユニット、接触帯電ローラ１７を有する一次帯電部、クリーニング部、現像部、中間転写体９、用紙カセット１や各種ローラ３、４、５、７を含む給紙部、転写ローラ１０を含む転写部及び定着部２５によって構成されている。
【００６２】
ドラムユニット１３は、感光ドラム(感光体)１５と感光ドラム１５のホルダを兼ねたクリーニング機構を有するクリーナ容器１４とを一体に構成したものである。このドラムユニット１３はプリンタ本体に対して着脱自在に支持され、感光ドラム１５の寿命に合わせて容易にユニット交換可能に構成されている。上記感光ドラム１５はアルミシリンダの外周に有機光導電体層を塗布して構成し、クリーナ容器１４に回転可能に支持されている。感光ドラム１５は、図示しない駆動モータの駆動力が伝達されて回転するもので、駆動モータは感光ドラム１５を画像形成動作に応じて反時計回り方向に回転させる。感光ドラム１５の表面を選択的に露光させることにより静電潜像が形成されるように構成されている。スキャナ部３０では、変調されたレーザ光を、モータ３１ａにより画像信号の水平同期信号を同期して回転するポリゴンミラーにより反射し、レンズ３２、反射鏡３３を介して感光ドラムを照射する。
【００６３】
現像部は、上記静電潜像を可視画像化するために、イエロー（Ｙ）、マゼンダ（Ｍ）、シアン（Ｃ）の現像を行う３個のカラー現像器２０Ｙ、２０Ｍ、２０Ｃと、ブラック（Ｂ）の現像を行う１個のブラック現像器２１Ｂとを備えた構成を有する。カラー現像器２０Ｙ、２０Ｍ、２０Ｃ及びブラック現像器２１Ｂには、スリーブ２０ＹＳ、２０ＭＳ、２０ＣＳ及び２１ＢＳと、これらスリーブ２０ＹＳ、２０ＭＳ、２０ＣＳ、２１ＢＳそれぞれの外周に圧接する塗布ブレード２０ＹＢ、２０ＭＢ、２０ＣＢ及び２１ＢＢとがそれぞれ設けられる。また３個のカラー現像器２０Ｙ、２０Ｍ、２０Ｃには塗布ローラ２０ＹＲ、２０ＭＲ、２０ＣＲが設けられている。
【００６４】
また、ブラック現像器２１Ｂはプリンタ本体に対して着脱可能に取り付けられており、カラー現像器２０Ｙ、２０Ｍ、２０Ｃは回転軸２２を中心に回転する現像ロータリー２３にそれぞれ着脱可能に取り付けられている。
【００６５】
ブラック現像器２１Ｂのスリーブ２１ＢＳは感光ドラム１５に対して例えば３００μｍ程度の微小間隔を持って配置されている。ブラック現像器２１Ｂは、器内に内蔵された送り込み部材によってトナーを搬送すると共に、時計回り方向に回転するスリーブ２１ＢＳの外周に塗布ブレード２１ＢＢによって塗布するように摩擦帯電によってトナーへ電荷を付与する。また、スリーブ２１ＢＳに現像バイアスを印加することにより、静電潜像に応じて感光ドラム１５に対して現像を行って感光ドラム１５にブラックトナーによる可視画像を形成する。
【００６６】
３個のカラー現像器２０Ｙ、２０Ｍ、２０Ｃは、画像形成に際して現像ロータリー２３の回転に伴って回転し、所定のスリーブ２０ＹＳ、２０ＭＳ、２０ＣＳが感光ドラム１５に対して３００μｍ程度の微小間隔を持って対向することになる。これにより所定のカラー現像器２０Ｙ、２０Ｍ、２０Ｃが感光ドラム１５に対向する現像位置に停止し、感光ドラム１５に可視画像が作成される。
【００６７】
カラー画像形成時には、中間転写体９の１回転毎に現像ロータリー２３が回転し、イエロー現像器２０Ｙ、マゼンダ現像器２０Ｍ、シアン現像器２０Ｃ、次いでブラック現像器２１Ｂの順で現像工程がなされ、中間転写体９が４回転してイエロー、マゼンダ、シアン、ブラックのそれぞれのトナーによる可視画像を順次形成し、その結果フルカラー可視画像を中間転写体９上に形成する。
【００６８】
中間転写体９は、感光ドラム１５に接触して感光ドラム１５の回転に伴って回転するように構成されたもので、カラー画像形成時に時計回り方向に回転し、感光ドラム１５から４回の可視画像の多重転写を受ける。また、中間転写体９は画像形成時に後述する転写ローラ１０が接触して転写材２を挟持搬送することにより転写材２に中間転写体９上のカラー可視画像を同時に多重転写する。中間転写体の外周部には、中間転写体９の回転方向に関する位置を検知するためのＴＯＰセンサ９ａ及びＲＳセンサ９ｂと、中間転写体に転写されたトナー像の濃度を検知するための濃度センサ９ｃが配置されている。
【００６９】
転写ローラ１０は、感光ドラム１５に対して接離可能に支承された転写帯電器を備えたもので、金属軸を中抵抗発泡弾性体により巻回することによって構成されている。
【００７０】
転写ローラ１０は、図４に実線で示すように中間転写体９上にカラー可視画像を多重転写している間は、カラー可視画像を乱さぬように下方に離開している。そして、上記中間転写体９上に４色のカラー可視画像が形成された後は、このカラー可視画像を転写材２に転写するタイミングに合わせてカム部材（不図示）により転写ローラ１０を図示点線で示す上方に位置させる。これにより転写ローラ１０は転写材２を介して中間転写体９に所定の押圧力で圧接すると共に、バイアス電圧が印加され、中間転写体９上のカラー可視画像が転写材２に転写される。
【００７１】
定着部２５は、転写２を搬送させながら、転写されたカラー可視画像を定着させるものであり、転写材２を加熱する定着ローラ２６と転写材２を定着ローラ２６に圧接させるための加圧ローラ２７とを備えている。定着ローラ２６と加圧ローラ２７とは中空状に形成され、内部にそれぞれヒータ２８、２９が内蔵されている。即ち、カラー可視画像を保持した転写材２は定着ローラ２６と加圧ローラ２７とにより搬送されると共に、熱及び圧力を加えることによりトナーが表面に定着される。
【００７２】
可視画像定着後の転写材２は、その後排紙ローラ３４、３５、３６によって排紙部３７へ排出して画像形成動作を終了する。
【００７３】
クリーニング手段は、感光ドラム１５上及び中間転写体９上に残ったトナーをクリーニングするものであり、感光ドラム１５上に形成されたトナーによる可視画像を中間転写体９に転写した後の廃トナーあるいは、中間転写体９上に作成された４色のカラー可視画像を転写材２に転写した後の廃トナーは、クリーナ容器１４に蓄えられる。
【００７４】
印刷される転写材（記録用紙）２は、給紙トレイ１から給紙ローラ３により取り出されて中間転写体９と転写ローラ１０との間に挟まれるようにして搬送されてカラートナー画像が記録され、定着部２５を通過してトナー像が定着される。片面印刷の場合には、案内３８が上方の排紙部に記録用紙を導くように搬送経路を形成するが、両面印刷に対しては、下方の両面ユニットに導くように経路を形成する。
【００７５】
両面ユニットに導かれた記録用紙は、搬送ローラ４０によりトレイ１の下部（二点鎖線で示す搬送経路）に一旦送り込まれた後に逆方向に搬送され、両面トレイ３９に送られる。両面トレイ３９上では、用紙は給紙トレイ１に載置された状態とは表裏が逆になり、また搬送方向について前後が逆になっている。この状態で再びトナー像の転写、定着を再度行うことで、両面印刷ができる。
【００７６】
＜印刷用中間データの保存処理＞
図５は、スプーラ３０２における、スプールファイル３０３の生成におけるページ単位保存ステップの処理をフローチャートで示したものである。
【００７７】
まずステップ５０１では、スプーラ３０２は、アプリケーションからグラフィックエンジン２０２を介して印刷要求を受け付ける。アプリケーションにおいては、図８に示すような印刷設定を入力するダイアログが表示され、このダイアログから入力された印刷設定がプリンタドライバよりスプーラ３０３に渡される。図８に示す設定入力ダイアログにおいては、８０１のような１物理ページにレイアウトする論理ページの数を決定するような設定項目等を含んでいる。
【００７８】
ステップ５０２では、スプーラ３０２は、受け付けた印刷要求がジョブ開始要求か判定し、もしステップ５０２でジョブ開始要求であると判断した場合には、ステップ５０３に進み、スプーラ３０２は、中間データを一時的に保存するためのスプールファイル３０３を作成する。続いて、ステップ５０４では、スプーラ３０２は、スプールファイルマネージャ３０４へ印刷処理の進捗を通知し、続くステップ５０５でスプーラ３０２のページ数カウンタを１に初期化する。ここで、スプールファイルマネージャ３０４においては、印刷が開始されたジョブに対するジョブの情報や加工設定などをスプールファイル３０３より読み込み、記憶する。
【００７９】
一方、ステップ５０２において、ジョブ開始要求ではなかったと判断した場合には、ステップ５０６に進む。
【００８０】
ステップ５０６では、スプーラ３０２は、受け付けた要求がジョブ終了要求かどうかの判別を行う。ジョブ終了要求でないと判断した場合には、ステップ５０７に進み、改ページかどうかの判別を行う。もしもステップ５０７で改ページであると判断した場合には、ステップ５０８に進み、スプールファイルマネージャ３０４へ印刷処理の進捗を通知する。そしてページ数カウンタをインクリメントして、中間コードを格納しているページ描画ファイルを閉じ、次のページ描画ファイルを生成する。
【００８１】
ステップ５０７において、受け付けた印刷要求が改ページではないと判断した場合には、ステップ５０９に進み、スプーラ３０２は、ページ描画ファイルへの中間コードの書き出しの準備を行う。
【００８２】
次に、ステップ５１０では、印字要求をスプールファイル３０３へ格納するため、スプーラ３０２は、印字要求のＤＤＩ関数の中間コードへの変換処理を行う。ステップ５１１では、スプーラ３０２は、ステップ５１０において格納可能な形に変換された印刷要求（中間コード）をスプールファイル３０３のページ描画ファイルへ書き込む。その後、ステップ５０１に戻り、再びアプリケーションからの印刷要求を受け付ける。この一連のステップ５０１からステップ５１１までの処理を、アプリケーションよりジョブ終了要求（EndDoc）を受け取るまで続ける。また、スプーラ３０２は、同時にプリンタドライバ２０３からDEVMODE構造体に格納されている加工設定等の情報を取得し、ジョブ設定ファイルとしてスプールファイル３０３に格納する。一方、ステップ５０６にて、アプリケーションからの印刷要求がジョブ終了であると判断した場合には、アプリケーションからの印刷要求は全て終了であるので、ステップ５１２に進み、スプールファイルマネージャ３０４へ印刷処理の進捗を通知し、処理を終える。
【００８３】
＜スプールファイルの生成＞
図６は、スプールファイルマネージャ３０４における、スプールファイル３０３生成プロセスと以降説明する印刷データ生成プロセスの間での制御の詳細をフローチャートで示したものである。
【００８４】
ステップ６０１では、スプールファイルマネージャ３０４は、スプーラ３０２あるいはデスプーラ３０５からの印刷処理の進捗通知を受け付ける。
【００８５】
ステップ６０２では、スプールファイルマネージャ３０４は、もし進捗通知が前述のステップ５０４において通知されるスプーラ３０２からの印刷開始通知であるかどうか判定し、もしそうであればステップ６０３へ進み、印刷の加工設定をスプールファイル３０３から読み込み、ジョブの管理を開始する。一方、ステップ６０２において、スプーラ３０２からの印刷開始通知でなければステップ６０４へ進み、スプールファイルマネージャ３０４は、進捗通知が前述のステップ５０８において通知されるスプーラ３０２からの１論理ページの印刷終了通知であるかどうか判定する。ここで１論理ページの印刷終了通知であればステップ６０５へ進み、この論理ページに対する論理ページ情報を格納する。そして、続くステップ６０６では、この時点でスプールが終了したn論理ページに対して、１物理ページの印刷が開始できるかを判定する。ここで、印刷可能である場合はステップ６０７へ進み、印刷する１物理ページに対して割り付けられる論理数から物理ページ番号を決定する。
【００８６】
物理ページの計算については、例えば、加工設定が１物理ページに４論理ページを配置するような設定の場合、第１物理ページは第４論理ページがスプールされた時点で印刷可能となり、第１物理ページとなる。続いて、第２物理ページは第８論理ページがスプールされた時点で印刷可能となる。
【００８７】
また、論理ページ数の総数が１物理ページに配置する論理ページ数の倍数でなくても、ステップ５１２におけるスプール終了通知によって１物理ページに配置する論理ページが決定可能である。
【００８８】
そして、ステップ６０８では、図１０に示すような形式で、印刷可能となった物理ページを構成する論理ページ番号と、その物理ページ番号などの情報がジョブ出力用設定ファイル（物理ページ情報を含むファイル）に保存され、物理ページ情報が１物理ページ分追加されたことがデスプーラ３０５に通知される。その後ステップ６０１に戻り、次の通知を待つ。本実施例においては、印刷データ１ページ、即ち１物理ページを構成する論理ページがスプールされた時点で印刷ジョブのスプールが全て終了していなくても印刷処理が可能である。
【００８９】
一方、ステップ６０４において、進捗通知がスプーラ３０２からの１論理ページの印刷終了通知でなかった場合ステップ６０９へ進み、スプールファイルマネージャ３０４は、前述のステップ５１２において通知されるスプーラ３０２からのジョブ終了通知であるかどうかを判定する。ここで、ジョブ終了通知である場合、前述のステップ６０６へ進む。一方、ジョブ終了通知でない場合、ステップ６１０へ進み、スプールファイルマネージャ３０４は、受け付けた通知がデスプーラ３０５からの１物理ページの印刷終了通知であるかどうか判定する。ここで、１物理ページの印刷終了通知である場合はステップ６１２へ進み、加工設定の印刷が全て終了したかを判定する。印刷終了した場合、ステップ６１２へ進み、デスプーラ３０５に印刷終了の通知を行う。一方、加工設定に対する印刷がまだ終了していないと判断した場合、前述の６０６へ進む。本実施例におけるデスプーラ３０５は印刷処理を行う単位として１物理ページ数を想定している。また、ステップ６０８では、１物理ページの印刷処理を行うのに必要な情報をファイルに逐次保存し、再利用可能な形式にしているが、再利用不要な場合には、共有メモリ等高速な媒体を使用し、１物理ページ単位で次々と上書きする実装にして、速度とリソースを節約するような実装形式であってもよい。また、デスプールの進捗よりもスプールの進捗の方が早い場合や全ページのスプール終了後からデスプールが開始されるような場合には、ステップ６０８で１物理ページ毎にページ印刷可能を通知せずに、デスプール側の進捗に応じて、複数物理ページもしくは全物理ページが印刷可能になったという通知内容にして、通知回数を節約することが可能である。
【００９０】
ステップ６１０において、通知がデスプーラ３０５からの１物理ページの印刷終了通知でないと判断された場合、ステップ６１３へ進み、スプールファイルマネージャ３０４は、デスプーラ３０５からの印刷終了通知かどうかを判定する。通知がデスプーラ３０５からの印刷終了通知と判定された場合、ステップ６１４へ進み、スプールファイルマネージャ３０４は、スプールファイル３０３の該当するページ描画ファイルの削除を行い処理を終える。ただし、一方、デスプーラ３０５からの印刷終了通知でなかった場合はステップ６１５へ進み、その他通常処理を行い、次の通知を待つ。
【００９１】
＜スプールファイルの出力＞
図７は、デスプーラ３０５における、印刷データの生成プロセスの詳細をフローチャートで示したものである。
【００９２】
デスプーラ３０５は、スプールファイルマネージャ３０４からの印刷要求に応じて、スプールファイル３０３から必要な情報（ページ描画ファイルおよびジョブ設定ファイル）を読み出して印刷データを生成する。生成された印刷データにおけるプリンタへの転送方法については図３で説明した通りである。
【００９３】
印刷データの生成では、まず、ステップ７０１において、前述のスプールファイルマネージャ３０４からの通知を入力する。続くステップ７０２では、デスプーラ３０５は、入力された通知がジョブの終了通知かどうか判定し、ジョブ終了通知であるならばステップ７０３へ進み、終了フラグを立て、ステップ７０５へ進む。一方、ステップ７０２においてジョブ終了通知でない場合は、ステップ７０４に進み、前述のステップ６０８における１物理ページの印刷開始要求が通知されたかどうか判定する。ステップ７０４において開始要求と判定されなかった場合は、ステップ７１０へ進み、その他エラー処理を行い、ステップ７０１へ戻り次の通知を待つ。一方、ステップ７０４において１物理ページの印刷開始要求と判定された場合は、ステップ７０５へ進み、デスプーラ３０５は、ステップ７０４で通知を受けた印刷処理可能な物理ページのIDを保存する。続くステップ７０６では、デスプーラ３０５は、ステップ７０５で保存した物理ページIDのすべてのページに関して印刷処理が済んでいるかどうか判定する。ここで全物理ページの処理が済んでいる場合は、ステップ７０７へ進み、前述のステップ７０３で終了フラグが立てられているのか判定する。終了フラグがたっている場合は、ジョブの印刷が終了したとみなし、デスプーラ３０５の処理終了の通知をスプールファイルマネージャ３０４に通知し、処理を終える。ステップ７０７で、終了フラグが立っていないと判定された場合は、ステップ７０１へ戻り次の通知を待つ。一方、ステップ７０６で、印刷可能な物理ページが残っていると判定された場合には、ステップ７０８へ進み、デスプーラ３０５は、保存された物理ページIDから未処理の物理ページIDを順に読み出し、読み出した物理ページIDに対応する物理ページの印刷データ生成に必要な情報を読み込み、印刷処理を行う。印刷処理はスプールファイル３０３に格納された印刷要求命令をデスプーラ３０５においてグラフィックエンジン２０２が認識可能な形式（ＧＤＩ関数）に変換し、転送する。本実施例のような、複数論理ページを１物理ページにレイアウトするような加工設定（以下Nページ印刷）については、このステップで縮小配置を考慮にいれながら変換する。必要な印刷処理が終えたならば、続くステップ７０９において１物理ページの印刷データ生成終了の通知をスプールファイルマネージャ３０４に対して行う。そして再びステップ７０６へ戻り、ステップ７０５で保存しておいた印刷可能な物理ページIDすべてについて印刷処理を行うまで繰り返す。
【００９４】
以上が、ディスパッチャ３０１、スプーラ３０２、スプールファイルマネージャ３０４、デスプーラ３０５を用いた印刷処理の流れである。上記のように処理することにより、スプーラ３０２が中間コードを生成してスプールファイル３０３に格納するタイミングでアプリケーション２０１が印刷処理から開放されるので、プリンタドライバ２０３に直接出力するよりも短時間で済む。また、スプールファイル３０３にプリンタドライバの印刷設定を踏まえた中間ファイル（ページ描画ファイル、ジョブ設定ファイル）として一時保存しているので、実際に印刷されるべき印刷プレビューをユーザに認識させることや、複数のアプリケーションにより生成した印刷ジョブの結合や並び替えが可能となり、印刷設定の変更を行う場合にも、再度アプリケーションを立ち上げて印刷をすることなしにユーザに行わせることを可能とする。
【００９５】
ここで、スプーラ３０２を用いた印刷処理において、デスプーラ３０５によりグラフィックエンジン２０２への印刷要求時にジョブ出力用設定ファイルが生成されるが、プレビューやジョブ結合等を行う場合もジョブ出力用設定ファイルが生成される。ジョブ出力用設定ファイルは、単体ジョブの場合はジョブ設定ファイルと同等のものであり、結合ジョブの場合は複数のジョブ設定情報に基づいて生成されるものである。ここでジョブ出力用設定ファイルについて説明する。
【００９６】
＜ジョブ出力用設定ファイルの構成＞
図１０は、ステップ６０８において、スプールファイルマネージャ３０４が生成する印刷可能となった物理ページを構成する情報を保存しているジョブ出力用設定ファイルの例を示す。フィールド１００１は、ジョブを識別するためのIDで、本情報を保存しているファイル名や共有メモリの名称という形で保持することも可能である。フィールド１００２はジョブ設定情報である。ジョブ設定情報には、グラフィックエンジン２０２に対してジョブの印刷を開始するために必要な構造体、Ｎページ印刷の指定、ページ枠などの追加描画の指定、部数、ステープルなどのフィニッシング指定など、１つのジョブに対して１つしか設定できない情報が含まれている。ジョブ設定情報１００２には、ジョブに対する機能に応じて必要なだけ情報が保存される。フィールド１００３はジョブの物理ページ数で、本フィールド以降、この数の分だけ物理ページ情報が保存されていることを示す。本実施例では、印刷可能な物理ページ数を通知する方式であるので、このフィールドは無くても動作可能である。これ以降、フィールド１００４から最後までフィールド１００３の数だけ物理ページ情報が格納される。物理ページ情報については図１２で説明する。
【００９７】
図１１は、図１０のフィールド１００２に図示されたジョブ設定情報の一例である。フィールド１１０１は全物理ページ数である。フィールド１１０２は、全論理ページ数である。フィールド１１０１および１１０２は、印刷データに追加して、ページ数などを付加情報として印刷する場合などに利用する。印刷が続いている際には、両フィールドは暫定的な値、もしくは、印刷が終了するまでスプールファイルマネージャ３０４は印刷可能な物理ページの情報の作成を延期する。フィールド１１０３は本印刷ジョブを何部印刷するかを指定する部数情報である。フィールド１１０４は、フィールド１１０３で複数部印刷する設定の場合、部単位で印刷するかどうかの指定である。フィールド１１０４はステープル、パンチ、Ｚ折などのフィニッシング情報で、プリンタ本体もしくは外部にフィニッシャーがある場合に指定される。フィールド１１０６は付加印刷情報で、本発明の地紋プリントを始め、ページ枠などの飾り、日付などの付加情報、ユーザ名、ページ数、ウォーターマーク印刷等、ジョブに対して付加する情報が保存される。機能が増えるに従って本ジョブ設定情報に含まれるフィールドの数も増加し、例えば、両面印刷が可能な場合は、両面印刷の指定を保存するフィールドが追加される。
【００９８】
図１２は、図１０のフィールド１００４に図示された物理ページ情報の一例を示す。最初のフィールド１２０１は物理ページ番号で、印刷順序の管理や、物理ページ番号を追加印刷する際に使用される値である。フィールド１２０２は物理ページ設定情報で、物理ページ毎にレイアウトやカラー・モノクロの指定が可能である場合、レイアウトやカラー・モノクロの設定が保存される。フィールド１２０３は本物理ページに割り付けられる論理ページ数で、１物理ページに４ページを割り付ける場合には４もしくは４ページ印刷を示すIDが保存される。フィールド１２０４以降はフィールド１２０３で指定された数だけ論理ページの情報が保存される。アプリケーション２０１から印刷されたページ数によっては、１２０３で指定されるページ数よりも実際のページデータ数が少なくなる場合がある。その場合には、論理ページ情報に空ページを示す特別なデータを保存して対応する。
【００９９】
図１３は、１２０２の物理ページ設定情報の例である。フィールド１３０１は物理ページ上への論理ページの配置順で、Ｎページ印刷で、物理ページ上に論理ページを配置する順番（左上から横へ、左上から下へ等）の指定が保存されている。システムによっては、配置順ではなく、フィールド１２０４以降の論理ページ情報の順番をページ番号順ではなく、配置順に応じた順序で配することで１３０１の設定を代用する場合もある。フィールド１３０２は両面印刷の表・裏の情報で、例えば綴じ代を表裏でそろえる際に使用される。フィールド１３０３はカラーページかモノクロページかの指定で、プリンタがモノクロモードとカラーモードを持つ場合、カラーページとモノクロページが混在する文書で、カラーページをカラーモードで、モノクロページをモノクロモードで印刷したい場合などに使用される値である。この情報を持つことにより、オートカラーモードとして、ページ単位にカラープリンタで処理を変更することが可能となる。フィールド１３０４は付加印刷情報で、物理ページに対して、ページ数や、日付などの付加情報を印刷する場合に使用される。物理ページ設定情報も、システムの機能に応じてフィールドが追加される。
【０１００】
本実施例の場合、図２１によって説明される地紋プリントは物理ページに対して付加される情報なので、１１０６に保持された地紋プリントに関する情報に基づき、各物理ページに対する設定情報として、フィールド１３０４内にも格納される。ジョブに対する付加印刷情報１１０６および付加印刷情報１３０４内における、地紋プリントに関する設定情報を格納するデータ形式の一例については、図２０において後述する。
【０１０１】
図１４は、１２０４で示された論理ページ情報の一例を示す。フィールド１４０１は論理ページのIDで、このIDを利用して、スプールファイル３０３から論理ページに対応するページ描画ファイルの中間コードを参照する。このIDを利用して論理ページの中間コードへアクセス可能であれば良く、ファイルやメモリポインタであっても、論理ページを構成する中間コード自身が入っていてもよい。フィールド１４０２は論理ページ番号で論理ページ番号を付加情報として印刷する場合や、論理ページIDの補助情報に使用される。フィールド１４０３のフォーマット情報には、論理ページ単位で指定可能である各種設定項目が保存される。例えば、ページ枠などの付加印刷情報、拡縮率などの論理ページ単位に指定される各種設定の情報が保存される。また、必要であれば、論理ページ単位のカラー・モノクロ情報などの論理ページに対する属性情報を保存する事も可能である。逆に、論理ページ単位で設定を切りかえる事や論理ページ単位での属性情報が不要であるようなシステムでは、フィールド１４０３は不要である。
【０１０２】
本実施例の場合、図２１から２３において説明される地紋プリントに関する機能設定情報はフィールド１４０３内には保持されない。これは、N-Upなどによる論理ページの拡大縮小に対して地紋プリントで使用されるパターンが影響を受けなくさせるためである。
【０１０３】
ジョブ出力用設定ファイルは、上記のように構成されている。なお、ジョブ設定ファイルもほぼ同様であり、印刷体裁（片面、両面、製本印刷）、印刷レイアウト（Ｎｕｐ、ポスター印刷）、付加情報（地紋プリント情報、ウォーターマーク、日付、ユーザ名など）、部数、用紙サイズ情報がジョブとして有しており、物理ページ毎に、論理ページの配置順、両面印刷の表面か、裏面か、カラーモード等から構成されている。
【０１０４】
更に、図３では、これまで説明した拡張システムに加えて、ジョブの設定変更機能を持つ設定変更エディタ３０７を配した例を示している。本実施例ではジョブの設定内容は、単体ジョブは、ジョブ設定ファイルに、また結合ジョブは、図１０に示したジョブ出力用設定ファイル中に含まれており、中間コードを保存しているページ描画ファイル３０３とは独立しているため、ジョブ出力用設定ファイルを作り変えることでジョブの設定変更が可能である。設定変更エディタ３０７は単独で、あるいはスプールファイルマネージャ３０４と連携して、ジョブ出力用設定ファイルを作り変え、あるいは、一部を書き換えることでジョブの設定変更機能を実現している。
【０１０５】
図１５は、設定変更エディタ３０７におけるジョブ設定変更処理プロセスの詳細をフローチャートで示したものである。
【０１０６】
まずステップ1501では，設定変更エディタは、ジョブ設定ファイルもしくはジョブ出力用設定ファイルを読み込む。ジョブ出力用設定ファイルはプレビューア３０５，デスプーラ３０３が読み込むものと同じファイルである。次に，ステップ1502へ進み，読み込んだ結果を，ユーザに表示する。ステップ1503で，図１７に示したようなユーザインターフェイス上で，ユーザとの対話を行い，前述したメニューの指定等により設定内容を変更する。このステップは，対話形式でなく，ファイルなどに書きこまれた設定変更の内容に応じて変更するバッチ形式でもよい。次にステップ1504へ進み，ステップ1501で設定変更エディタは、最初に読み込んだ内容と，現在指定されている設定内容に変更があったかどうかの判定を行う。設定内容に変更が合った場合は，ステップ1505へ進み，新規のジョブ出力用設定ファイルを生成し，変更があったことをスプールファイルマネージャに通知して終了する。ステップ1505で，変更がないと判定された場合は，変更がなかったことをスプールファイルマネージャに通知して終了する。このように新規のジョブ出力用設定ファイルを生成するが、図１８のユーザインターフェイス画面において、「ＯＫ」ボタンが選択されることにより、新規のジョブ出力用設定ファイルが有効となり、古いジョブ出力用設定ファイルは削除される。また、ジョブ出力用設定ファイルからの変更ではなく、単体ジョブのジョブ設定ファイルの場合は削除せずに保存しておく。また、図１８の画面で「初期状態に戻す」ボタンが選択された場合は、新規のジョブ出力用設定ファイルを削除し、古いジョブ出力用設定ファイルが有効となり、表示に反映させる。本実施例では，設定変更エディタ３０７を別モジュールとして説明しているが，単にスプールファイルマネージャ３０４のユーザインターフェイスの一部であってもよい。設定変更エディタ３０７で実際に変更内容をジョブ出力用設定ファイルに書きこまずに，設定変更の内容のみをスプールファイルマネージャ３０４へと通知するだけで，実際のジョブ出力用設定ファイルの変更はスプールファイルマネージャ３０４側で行う実装形式でもよい。
【０１０７】
＜地紋プリント処理の説明＞
以下、地紋プリントに関する設定をおこなうユーザインタフェイスの一例について、図２１から２３を用いて行う。
【０１０８】
図２１はプリンタドライバ２０３内に配された、地紋プリントに関するユーザインタフェースの初期画面の一例である。この例では、ダイアログ内のプロパティシート２１０１において地紋プリントに関する設定が行えるようになっている。
【０１０９】
２１０２は、印刷ジョブに対して地紋プリントを行うかどうかを指定するチェックボックスであり、図１１における付加印刷情報１１０６内で地紋プリントを行うかどうかの設定が格納される。
【０１１０】
２１０３は、地紋プリントの複数の設定情報を1つの識別子（スタイル）で指定可能にするためのスタイル情報である。プリンタドライバ２０３は複数のスタイルを選択可能となっており、各スタイルと図２０に示す地紋プリント情報との関係がレジストリに登録される。また、２１０４を押下することにより、図２２に示すスタイル編集用ダイアログ２２０１が表示される。
【０１１１】
２１０５は、地紋プリントにおける前景、背景のコントラストを調整する際に用いるチェックボックスで、ボタン２１０６を押下することにより、図２３に示すダイアログ２３０１が表示される。
【０１１２】
図２２（ａ）は地紋プリントの個々の詳細設定を編集するためのダイアログの一例である。
【０１１３】
２２０１は地紋情報編集用ダイアログであり、同領域に後述する個々の地紋情報によって生成される地紋パターンの結果の簡易プレビューが表示されている形式となっている。
【０１１４】
２２０２は図２１の２１０３にて選択可能なスタイルの一覧を表示する領域であり、２２０３および２２０４を用いてスタイルの新規追加、削除が可能となっている。
【０１１５】
２２０５は、現在指定されているスタイル名称が表示される領域である。
【０１１６】
２２０６は、地紋プリントに用いる描画オブジェクトの種類を選択するラジオボタンであり、「文字列」を選択するとテキストオブジェクトが使用され、「イメージ」を選択するとBMPなどに代表されるイメージデータが使用される。図２２では、「文字列」が選択されているので、２２０１には後述する２２０７から２２０９などのようなテキストオブジェクトに関する設定情報が表示され、編集可能となっている。一方、２２０６において「イメージ」が選択されている場合、２２０７から２２０９は表示されず、その代わりに図２２（ｂ）におけるイメージファイル名称表示２２１５および図不示のファイル選択ダイアログを表示するためのボタン２２１６が表示される。
【０１１７】
２２０７は地紋パターンとして使用する文字列を表示、編集するための領域である。
【０１１８】
２２０８は文字列のフォント情報を表示、編集するための領域である。本実施例ではフォント名称のみの選択画面としているが、書体のファミリー情報（ボールド、イタリックなど）や、飾り文字情報などが選択可能に拡張してもよい。
【０１１９】
２２０９は地紋パターンとして使用する文字列のフォントサイズを表示、設定する領域である。本実施例では「大」「中」「小」の3段階で指定可能な形式を想定しているが、ポイント数の直接入力など、一般的に用いられるフォントサイズ指定方法を採用してもかまわない。
【０１２０】
２２１０は地紋パターンと原稿データの印刷順序を設定するためのラジオボタンであり、「透かし印刷」が指定された場合は図２５にて後述するように、地紋パターンを描画後、原稿データを描画する。一方、「重ね印刷」が指定された場合は図２６にて後述するように、原稿データを描画後、地紋パターンを描画する。
【０１２１】
２２１１は、地紋パターンの配置角度を指定するラジオボタンである。本実施例では「右上がり」「右下がり」「横」の3通りの選択を可能としているが、角度を任意に指定可能な数値入力領域や、直感的に指定可能なスライダーバーなどを配し、角度指定方法を拡張してもよい。
【０１２２】
２２１２は、地紋パターン(前景パターン、背景パターン)に用いる色を表示、指定するための領域である。
【０１２３】
２２１３は、前景パターン、背景パターンの入れ替えを行うためのチェックボックスである。チェックボックスがチェックされていない場合は、複写時に前景パターンが浮かび上がる。一方、チェックされていない場合は複写時に背景パターンが浮かび上がる。
【０１２４】
２２１４は、原稿に埋め込んだ地紋パターンを認識させづらくさせるためのカモフラージュ画像パターンを指定するための領域であり、複数のパターンから選択可能である。また、カモフラージュ画像を使用しないという選択肢も提供されている。
【０１２５】
図２３は、図２１におけるコントラスト設定ボタン２１０６を押下した際に表示されるダイアログの一例である。
【０１２６】
地紋プリントでは、前景パターン背景パターンの面濃度をあわせることで不可視パターンを潜像させるため、２３０２および２３０３に例示するように、前景パターン、背景パターンそれぞれに対する濃度調整をおこなうインターフェースを提供する。
【０１２７】
＜地紋プリント設定情報のデータ形式＞
次に、図２２において説明した地紋プリント設定情報に関する付加情報１１０６および１３０４に格納されるデータ形式について図２０を用いて説明する。
【０１２８】
２００１では、図２２（ａ）の２２０６で指定される、地紋プリントで描画するオブジェクト種（テキスト形式あるいはイメージ）を示す値が格納される。
【０１２９】
２００２では、図２２（ａ）の２２０７から２２０９、あるいは図２２（ｂ）で指定される、２００１で指定された描画オブジェクトに対する設定情報が格納される。テキスト選択時は文字列、フォント名、サイズ情報が、イメージ選択時は入力するイメージファイルのロケーションが格納される。
【０１３０】
なお、図２２（ａ）の２２０７で指定される文字列において、図４３の記述される特殊な文字列を使うことで可能である。これらの文字列を使うことで原本の保証を高めることが可能となる。詳細は図４３にて後述する。
【０１３１】
２００３は、図２２（ａ）の２２１０で指定される、原稿データに対して地紋パターンを先に描画するか、後から描画するか（印刷順序）を指定する情報が格納される。
【０１３２】
２００４では、図２２（ａ）の２２１１で指定される、描画オブジェクトを配置する角度情報が格納される。
【０１３３】
２００５では、図２２（ａ）の２２１２で指定される、地紋パターン（前景パターン、背景パターン）に使用される色情報が格納される。
【０１３４】
２００６では、図２２（ａ）の２２１３で指定される、前景パターン、背景パターンの入れ替えを行うかどうかの情報が格納される。
【０１３５】
２００７では、図２２（ａ）の２２１４で指定される、カモフラージュ画像のパターン付加情報が格納される。
【０１３６】
２００８では、図２３の２３０２で指定される、前景パターンの濃度情報が格納される。
【０１３７】
２００９では、図２３の２３０３で指定される、背景パターンの濃度情報が格納される。
【０１３８】
＜地紋パターンの追加描画処理＞
以降、地紋プリントにおける描画処理の流れにつについて、図２５および図２６を用いて説明する。
【０１３９】
これらの処理は、図７のステップ７０８における印刷処理において行われる。
まず、地紋パターン情報の追加描画処理について、図２２（ａ）の２２１０において「透かし印刷」、すなわち、先に地紋パターンを描画するケースについて、図２５のフローチャートを用いて詳細に述べる。
【０１４０】
まず、ステップ１９０１において、図２０に示す地紋パターン情報で示される地紋に関する情報に従い、描画を行う。描画処理については、図２７にて後述する。
【０１４１】
続いて、以降原稿データに関する描画処理を行う。ステップ１９０２において、カウンタを初期化する。
【０１４２】
ステップ１９０３において、カウンタが、予め設定されている１物理ページあたりの論理ページ数になったかどうかを判定し、論理ページ数と等しくなったらステップ１９０８へ進み、等しくなければステップ１９０４へすすむ。
【０１４３】
ステップ１９０４において、カウンタを１増加させる。
【０１４４】
ステップ１９０５において、１ページあたりの論理ページ数およびカウンタをもとに、これから描画する論理ページに対する有効印字領域を計算する。
【０１４５】
ステップ１９０６において、図９のような形態で通知された物理ページに関する情報から、カウンタをインデックスとして現在の論理ページ番号を読み取り、該当論理ページを有効印字領域内に収まるように縮小描画する。ただし、Ｎページ印刷が指定されていない場合にはもちろん縮小の必要はない。
【０１４６】
次に、図２２（ａ）の２２１０において「重ね印刷」、すなわち、原稿データを描画した後から地紋パターンを描画するケースについて、図２６のフローチャートを用いて詳細に述べる。
【０１４７】
ステップ１９０２において、カウンタを初期化する。
【０１４８】
ステップ１９０３において、カウンタが、予め設定されている１物理ページあたりの論理ページ数になったかどうかを判定し、論理ページ数と等しくなったらステップ１９０８へ進み、等しくなければステップ１９０４へすすむ。
【０１４９】
ステップ１９０４において、カウンタを１増加させる。
【０１５０】
ステップ１９０５において、１ページあたりの論理ページ数およびカウンタをもとに、これから描画する論理ページに対する有効印字領域を計算する。
【０１５１】
ステップ１９０６において、図９のような形態で通知された物理ページに関する情報から、カウンタをインデックスとして現在の論理ページ番号を読み取り、該当論理ページを有効印字領域内に収まるように縮小描画する。ただし、Ｎページ印刷が指定されていない場合にはもちろん縮小の必要はない。
【０１５２】
１物理ページとして所定数の論理ページを展開し終えたなら、ステップ１９０８に進む。ステップ１９０８では、アプリケーションから取得している物理ページの有効印字領域に対して、図２０に示す地紋パターン情報で示される地紋に関する情報に従い、描画を行う。描画処理については、図２７にて後述する。
【０１５３】
図２７は本実施の形態における図２５の地紋パターン描画部S１９０１及び図２６の地紋パターン描画部S１９０８の内部処理手順を記したフローチャートである。以下、図２７を用いて、地紋パターン描画処理を説明する。
【０１５４】
初めにユーザインターフェース等を通じて、Ｓ２７０１で地紋パターン描画処理が開始される。
【０１５５】
次にＳ２７０２で、入力背景画像、背景閾値パターン、前景閾値パターン、前景背景領域指定画像、カモフラージュ領域指定画像、を読み込む。
【０１５６】
次にＳ２７０３で、地紋画像を生成する際の初期画素を決定する。例えば、入力画像全体に対して左上から右下までラスター走査順に画像処理を行い地紋画像に変更する場合、左上を初期位置とする。
【０１５７】
次にＳ２７０４では、背景閾値パターン、前景閾値パターン、前景背景領域指定画像、カモフラージュ画像は入力背景画像の左上からタイル上に配置するとし、処理対象となっている入力背景画像の画素に対して、以下の式（１）を計算し、印刷時のドットに対応する画素値を書き込むか否かを判定する。このとき画素値は入力された色情報に対応する。
【０１５８】
【数１】
2005107777.tif 000003
式の構成要素の定義を以下に示す。
【０１５９】
nCamouflage：カモフラージュ領域指定画像で画素がカモフラージュ領域であれば０、そうでなければ１。
【０１６０】
nSmallDotOn：背景閾値パターンの画素値が黒であれば１、白であれば０
nLargeDotOn：前景閾値パターンの画素値が黒であれば１、白であれば０
nHiddenMark：前景背景領域指定画像で潜像部に相当する画素であれば１、背景部に相当する画素であれば０。
【０１６１】
【数２】
2005107777.tif 000004
の否定。前景部で０、背景部で１となる。
【０１６２】
なお、各処理対象画素で式（１）の全ての要素を用いて計算する必要は無い。不必要な計算を省くことで処理の高速化を図れる。
【０１６３】
例えば、nHiddenMark＝１ならば
【０１６４】
【数３】
2005107777.tif 000005
nHiddenMark＝０ならば
【０１６５】
【数４】
2005107777.tif 000006
と成る。従ってnHiddenMark＝１ならば式（２）の値をnLargeDotOnの値とし、nHiddenMark＝０ならば、式（２）の値をnSmallDotOnの値とするとよい。
【０１６６】
また、nCamouflageの値は全体にかかる積算であり、nCamouflage＝０であれば、nWriteDotOn＝０となる。従って、nCamouflage＝０の場合はnCamouflage以降の式（２）
【０１６７】
【数５】
2005107777.tif 000007
の計算を省略すると良い。
【０１６８】
また、生成される地紋画像では、背景閾値パターン、前景閾値パターン、前景背景領域指定画像、カモフラージュ領域指定画像の縦横の長さの最小公倍数の大きさの画像が繰り返しの最小単位となる為、地紋パターン描画部では繰り返しの最小単位である地紋画像の一部分のみを生成し、その地紋画像の一部分を入力背景画像の大きさにタイル状に繰り返し並べると地紋画像生成にかかる処理時間を短縮できる。
【０１６９】
次にＳ２７０５では、Ｓ２７０４での計算結果（nWriteDotOnの値）を判定する。
【０１７０】
NWriteDotOn＝１ならばＳ２７０６に進み、nWriteDotOn＝０ならばＳ２７０７に進む。
【０１７１】
Ｓ２７０６では、印刷時のドットに対応する画素値を書き込む処理を行う。
【０１７２】
画素値の値は、地紋画像の色により変える事が出来る。黒色の地紋を作成したい場合、入力背景画像の処理対象画素を黒に設定する。
【０１７３】
その他、プリンタのトナーまたはインクの色に合わせ、シアン、マゼンダ、イエローに設定すれば、カラーの地紋画像を作成することも出来る。
【０１７４】
入力背景画像が１画素あたり１〜数ビットの画像データである場合には、インデックスカラーを用いて画素値を表現すればよい。インデックスカラーとは画像データの表現方法で、対象とするカラー画像で頻繁に出現する色情報を目次に設定し（例えばインデックス０は白、インデックス１はシアンなど）、各画素の値は色情報を記載した目次の番号で表現する（例えば、１番目の画素値はインデックス１の値、２番目の画素値はインデックス２の値、・・・と表現する。）
Ｓ２７０７では、入力背景画像の処理対象領域の全画素が処理されたかを判定する。入力背景画像の処理対象領域の全画素が処理されていない場合はＳ２７０８に進み、未処理の画素を選択し、再びＳ２７０４〜Ｓ２７０６の処理を実行する。
【０１７５】
入力背景画像の処理対象領域の全画素に対する処理が完了していれば、Ｓ２７０９に進む。
【０１７６】
以上の処理により、入力背景画像に対して画像処理を加えた地紋パターンが生成できる。ただし、これだけの処理では、前景背景領域指定画像の前景と背景の切り替わる部分にドットの固まりが生じ前景の概形が目立ち偽造防止地紋の効果が薄れるデメリットが生じる可能性がある。そこで、前景背景領域指定画像の前景と背景の切り替わりでドットの固まりが生じないようにするバウンダリ処理もあわせて施すことが多い。
【０１７７】
図２８は、そのバウンダリ処理まで施した地紋パターン生成の例である。
【０１７８】
図２７の説明に戻る。ここまでの処理で地紋パターンが生成された。この処理はＳ１９０１とＳ１９０８とで共通であるが、以下のステップで説明される生成した地紋パターンの描画方法は各々異なる。
【０１７９】
Ｓ１９０１において、地紋パターン自体が下地となるのでS２７１０の透かし描画処理が実行される。S２７１０は、地紋パターンの描画の後にアプリケーションソフトで作成した文字などを透かして描画することを意味する。つまり、地紋パターンの描画については何ら特殊な処理は行われない。
【０１８０】
一方、Ｓ１９０８においては、地紋パターンは既に描画済みの下地に対し後から描画することになるので、S２７１１の重ね描画処理が実行される。この場合は、アプリケーションソフトで作成した文字などの上に地紋パターンを重ねて描画することになるので、単純に地紋パターンを描画してしまうと下地が上書きされて見えなくなってしまう。そこで、ANDやORといった論理描画を利用することで完全に上書きしてしまうことを避ける。例えば、下地の各ピクセルが白色だったら、そのピクセルに対応する地紋パターンのピクセルを描画するといった論理描画を行う。
【０１８１】
そして、S２７１２に進み、地紋パターン描画が終了する。
【０１８２】
以上、地紋パターン描画部の内部処理について述べた。
【０１８３】
図４３は本実施の形態における図２２（ａ）の２２０７で指定可能な特殊文字列の一覧である。これら文字列は、特殊文字列であることを示すために%を使用し、続く一文字で特殊文字列の種類を示している。これら特殊文字列を使用することで、ロゴに特定の文字列を指定することが可能となる。以下、図４３を用いて、各文字列について説明する。
【０１８４】
図４３の５１０１は特殊文字列%Mを説明している。図２２の２２０７に“％Ｍ”と記述すると、印刷実行時にホストコンピュータ３０００の装備されているネットワークカードのMACアドレスが文字列として展開される。
【０１８５】
図４３の５１０２は特殊文字列%Pを説明している。図２２の２２０７に“％P”と記述すると、印刷実行時にホストコンピュータ３０００のＣＰＵ１に割当てられている一意なＣＰＵ−ＩＤが文字列として展開される。
【０１８６】
なお、図４３の５１０１と５１０２は、ホストコンピュータ３０００を特定可能な一意な文字列であるので、これらをロゴとして使うことによって原本の特定が非常に高いものとなる。
【０１８７】
図４３の５１０３は特殊文字列%Gを説明している。図２２の２２０７に“％G”と記述すると、印刷実行時にＧＵＩＤ（Global Unique ID）が生成され一意な文字列として展開される。これもまた原本の特定が高いが、図４３の５１０１と５１０２と異なり原本を生成したホストコンピュータ３０００の特定までは出来ないが、
図４３の５１０４は特殊文字列%Jを説明している。図２２の２２０７に“％J”と記述すると、印刷実行時に図２の２０３が管理する印刷ジョブのＩＤが文字列として展開される。
【０１８８】
図４３の５１０５は特殊文字列%Cを説明している。図２２の２２０７に“％C”と記述すると、印刷実行時に図２の２０３が管理する印刷ジョブの部数が文字列として展開される。
【０１８９】
図４３の５１０５は特殊文字列%Sを説明している。図２２の２２０７に“％S”と記述すると、複数部数印刷時に図２の２０３において一部づつナンバリングされ、その数値がシリアル番号文字列として展開される。また、図４３の５１０５を使う場合、複数部数印刷の機能は、プリンタ１５００では行われない。一部づつナンバリングするために複数部数印刷は、ホストコンピュータ３０００内で実現される。
【０１９０】
図４３の５１０７から５１１６までは日付に関する特殊文字列を説明している。図２２の２２０７に“％y”と記述すると、印刷実行時の年（西暦下２桁）が文字列として展開される。図２２の２２０７に“％Y”と記述すると、印刷実行時の年（西暦４桁）が文字列として展開される。図２２の２２０７に“％o”と記述すると、印刷実行時の月名が短縮英語の文字列として展開される。例えば、1月だったら“Jan”である。図２２の２２０７に“％O”と記述すると、印刷実行時の月名が英語の文字列として展開される。例えば、1月だったら“January”である。図２２の２２０７に％nと記述すると、印刷実行時の月が1から12までの整数文字列として展開される。図２２の２２０７に“％d”と記述すると、印刷実行時の日が01から31までの整数文字列として展開される。図２２の２２０７に“％D”と記述すると、印刷実行時の日が001から366までの整数文字列として展開される。図２２の２２０７に“％w”と記述すると、印刷実行時の曜日が短縮英語の文字列として展開される。例えば、月曜日だったら“Mon”である。図２２の２２０７に“％W”と記述すると、印刷実行時の曜日が英語の文字列として展開される。例えば、月曜日だったら“Monday”である。図２２の２２０７に“％e”と記述すると、印刷実行時の曜日がローカライズされた文字列として展開される。例えば、月曜日で、かつホストコンピュータ３０００が日本語環境下で動作していたら、“月曜日”である。
【０１９１】
図４３の５１１７から５１２２までは時刻に関する特殊文字列を説明している。図２２の２２０７に“％h”と記述すると、印刷実行時の時が00から23までの整数文字列として展開される。図２２の２２０７に“％H”と記述すると、印刷実行時の時が01から12までの整数文字列として展開される。図２２の２２０７に“％m”と記述すると、印刷実行時の分が00から59までの整数文字列として展開される。図２２の２２０７に“％s”と記述すると、印刷実行時の秒が00から59までの整数文字列として展開される。図２２の２２０７に”％a”と記述すると、印刷実行時の時間が午前だったら“AM”、午後だったら“PM”、という文字列が展開される。図２２の２２０７に“％z”と記述すると、印刷実行時のホストコンピュータ３０００のタイムゾーンが文字列として展開される。例えば、ホストコンピュータ３０００が日本で動作したら“+0900”である。
【０１９２】
図４３の５１２３は特殊文字列%%を説明している。図２２の２２０７に“％％”と記述すると、印刷実行時に文字列“％”として展開される。
【０１９３】
以上、図２２（ａ）の２２０７における特殊文字列の指定方法を述べた。これら特殊文字列は、いくつ組み合わせてもかまわない。
【０１９４】
例えば、図２２（ａ）の２２０７に“コピー厳禁（%w, %d %o %y %h:%m:%s %z）”と記述して、日本の2003年6月26日午後5時5分1秒に印刷実行すれば、原本には“コピー厳禁（Thu, 26 Jun 2003 17:05:01 +0900）”というロゴが潜像として印刷される。
【０１９５】
例えば、図２２（ａ）の２２０７に“コピー厳禁（%S／%C）”と記述して、3部印刷実行すれば、3部の原本にはそれぞれ“コピー厳禁（1／3）”、“コピー厳禁（2／3）”、“コピー厳禁（3／3）”というロゴが潜像として印刷される。
【０１９６】
以上、原本の特定に効果がある特殊文字の文法を説明したが、これらは具体例の一つにすぎない。特殊文字列であることを示す区切り（本実施例では文字”%”）と特殊文字列の種類（本実施例では文字”%”の次の1文字）さえ指定可能ならば、別の文法であってもかまわない。
【０１９７】
（他の実施例）
なお、本発明は、複数の機器(例えばホストコンピュータ、インタフェイス機器、リーダ、プリンタなど）から構成されるシステムに適用しても、一つの機器からなる装置（複写機、プリンタ、ファクシミリ装置など）に適用してもよい。
【０１９８】
また、本発明の目的は、前述した実施形態の機能を実現する、各図のフローチャートの手順を実現するプログラムコードを記憶した記憶媒体を、システムあるいは装置のコンピュータ（またはＣＰＵやＭＰＵ）が記憶媒体に格納されたプログラムコードを読出し実行することによっても達成される。
【０１９９】
この場合、記憶媒体から読み出されたプログラムコード自体が前述した実施形態の機能を実現することになり、そのプログラムコードを記憶した記憶媒体は本発明を構成することになる。
【０２００】
プログラムコードを供給するための記憶媒体としては、例えば、フロッピーディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【０２０１】
また、コンピュータが読み出したプログラムコードを実行することにより、前述した実施形態の機能が実現されるだけでなく、そのプログラムコードの指示に基づき、コンピュータ上で稼動しているＯＳ（オペレーティングシステム）などが実際の処理の一部または全部を行い、その処理によって前述した実施形態の機能が実現される場合も含まれる。
【０２０２】
更に、記憶媒体から読出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれる。
【図面の簡単な説明】
【０２０３】
【図１】本発明の一実施例を示す印刷制御装置の構成を説明するブロック図である。
【図２】プリンタが接続されたホストコンピュータの典型的なプリントシステムの構成を示すブロック図である。
【図３】アプリケーションからの印刷命令をプリンタ制御コマンドに変換する前に、一旦スプールファイル３０３にスプールするプリントシステムの構成を示すブロック図である。
【図４】本発明におけるプリンタについて説明した図である。
【図５】スプーラ３０２における印刷データのスプールについて示したフローチャートである。
【図６】プールファイルマネージャ３０４における印刷制御および物理ページ番号の決定について示したフローチャートである。
【図７】スプーラ３０５における処理を示したフローチャートである。
【図８】刷設定入力ダイアログ一例を示した図である。
【図９】印刷ジョブの出力先についての設定画面の一例を示した図である。
【図１０】スプールファイルマネージャ３０４からデスプーラ３０５に対して物理ページの印刷要求を行う際に渡すデータ形式の一例を示した図である。
【図１１】図１０のフィールド１００２に図示されたジョブ設定情報の一例である。
【図１２】スプールファイルマネージャ３０４からデスプーラ３０５に対して物理ページの印刷要求を行う際に渡すデータ形式の一例を示した図である。
【図１３】図１２における１２０２の物理ページ設定情報の例である。
【図１４】スプールファイルマネージャ３０４からデスプーラ３０５に対して物理ページの印刷要求を行う際に渡すデータ形式の一例を示した図である。
【図１５】設定変更エディタ３０７における設定変更処理について示したフローチャートである。
【図１６】スプールファイルマネージャ３０４のユーザインタフェースの一例を示す図である。
【図１７】設定変更エディタ３０７の画面の一例である。
【図１８】プレビューア３０６が表示するプレビュー画面の一例である。
【図１９】図１３における付加印刷情報１３０４のデータ形式の一例である。
【図２０】地紋プリント機能の設定画面の一例である。
【図２１】地紋プリントの個々の詳細設定を編集するためのダイアログの一例である。
【図２２】図２１におけるコントラスト設定ボタン２１０６を押下した際に表示されるダイアログの一例である。
【図２３】地紋パターンの描画処理の処理を示す図である。
【図２４】地紋パターンの描画処理の処理を示す図である。
【図２５】地紋パターンの描画処理の処理を示す図である。
【図２６】地紋パターン生成例を示す図である。
【図２７】スプールファイルマネージャ３０４での地紋パターン印刷の表示方法例。
【図２８】設定変更エディタ３０７での第一の実施例。
【図２９】プレビューア３０６での第一の実施例。
【図３０】設定変更エディタ３０７での第二の実施例。
【図３１】プレビューア３０６での第二の実施例。
【図３２】地紋プリント印刷時のプレビュー処理のフローチャート。
【図３３】地紋を縮小した結果（単純間引き、論理和、論理積）。
【図３４】設定変更エディタ３０７での地紋パターン縮小によるプレビュー従来例。
【図３５】プレビューア３０６での地紋パターン縮小によるプレビュー従来例。
【図３６】偽造牽制地紋の画像のふたつの領域を示した図。
【図３７】偽造牽制地紋の顕像を示した図。
【図３８】偽造牽制地紋におけるカモフラージュを示した図。
【図３９】色処理モード指定方法のユーザインターフェイスの一例である。
【符号の説明】
【０２０４】
１  ＣＰＵ
２  ＲＡＭ
３  ＲＯＭ
４  システムバス
１２  ＣＰＵ
１３  ＲＯＭ
１９  ＲＡＭ
３０００  ホストコンピュータ
１５００  プリンタ
【図１】
2005107777.tif 000008
【図２】
2005107777.tif 000009
【図３】
2005107777.tif 000010
【図４】
2005107777.tif 000011
【図５】
2005107777.tif 000012
【図６】
2005107777.tif 000013
【図７】
2005107777.tif 000014
【図８】
2005107777.tif 000015
【図９】
2005107777.tif 000016
【図１０】
2005107777.tif 000017
【図１１】
2005107777.tif 000018
【図１２】
2005107777.tif 000019
【図１３】
2005107777.tif 000020
【図１４】
2005107777.tif 000021
【図１５】
2005107777.tif 000022
【図１６】
2005107777.tif 000023
【図１７】
2005107777.tif 000024
【図１８】
2005107777.tif 000025
【図１９】
2005107777.tif 000026
【図２０】
2005107777.tif 000027
【図２１】
2005107777.tif 000028
【図２２】
2005107777.tif 000029
【図２３】
2005107777.tif 000030
【図２４】
2005107777.tif 000031
【図２５】
2005107777.tif 000032
【図２６】
2005107777.tif 000033
【図２７】
2005107777.tif 000034
【図２８】
2005107777.tif 000035
【図２９】
2005107777.tif 000036
【図３０】
2005107777.tif 000037
【図３１】
2005107777.tif 000038
【図３２】
2005107777.tif 000039
【図３３】
2005107777.tif 000040
【図３４】
2005107777.tif 000041
【図３５】
2005107777.tif 000042
【図３６】
2005107777.tif 000043
【図３７】
2005107777.tif 000044
【図３８】
2005107777.tif 000045
【図３９】
2005107777.tif 000046